(57)【要約】【課題】  親局装置Ａが固定局装置Ｂ１〜Ｂ１６及び移動局装置Ｃ１〜Ｃ１００と無線通信する無線通信システムで、親局装置から固定局装置及び移動局装置への一斉指令に係る処理を効率化する。【解決手段】  親局装置では、管理手段３が一斉指令の対象となる移動局装置に関する情報を管理し、無線送信手段２、５、６が管理内容に基づいて一斉指令の対象となる固定局装置Ｂ１〜Ｂ１６及び移動局装置Ｃ１、Ｃ２、Ｃ５０、Ｃ１００に対して応答信号を返送するタイミングに関する情報を含む一斉指令応答タイミング情報信号を無線送信する。固定局装置や移動局装置では、無線受信手段が一斉指令応答タイミング情報信号を受信し、無線送信手段が受信される一斉指令応答タイミング情報信号に基づくタイミングで親局装置に対して応答信号を無線により送信する。【選択図】  図１
2005151266.tif 000002
【特許請求の範囲】
【請求項１】
親局装置が固定局装置及び移動局装置と無線により通信する無線通信システムにおいて、
親局装置は、一斉指令の対象となる移動局装置に関する情報を管理する一斉指令対象移動局装置情報管理手段と、
一斉指令対象移動局装置情報管理手段による管理内容に基づいて、一斉指令の対象となる固定局装置及び一斉指令の対象となる移動局装置に対して、応答信号を返送するタイミングに関する情報を含む一斉指令応答タイミング情報信号を無線により送信する一斉指令応答タイミング情報信号無線送信手段と、を備え、
固定局装置は、親局装置から無線により送信される一斉指令応答タイミング情報信号を受信する固定局装置一斉指令応答タイミング情報信号無線受信手段と、
受信される一斉指令応答タイミング情報信号に基づくタイミングで親局装置に対して応答信号を無線により送信する固定局装置応答信号無線送信手段と、を備え、
移動局装置は、親局装置から無線により送信される一斉指令応答タイミング情報信号を受信する移動局装置一斉指令応答タイミング情報信号無線受信手段と、
受信される一斉指令応答タイミング情報信号に基づくタイミングで親局装置に対して応答信号を無線により送信する移動局装置応答信号無線送信手段と、を備えた、
ことを特徴とする無線通信システム。
【発明の詳細な説明】
【技術分野】
【０００１】
本発明は、例えば、親局装置が固定局装置及び移動局装置と無線により通信する無線通信システムに関し、特に、親局装置から固定局装置及び移動局装置への一斉指令に係る処理を効率化する技術に関する。
【背景技術】
【０００２】
例えば、親局装置から複数の固定局装置又は複数の移動局装置へ一斉指令を無線により送信し、一斉指令を受けた固定局装置又は移動局装置が親局装置へ応答信号を無線により送信（返送）する無線通信システムが実施されている。複数の固定局装置については例えば全ての固定局装置が応答を行い、複数の移動局装置については例えば開局している全ての移動局装置が応答を行う一方、開局していない（つまり、閉局している）移動局装置が応答を行わない。
【０００３】
【特許文献１】特開平１０−２７１０６３号公報
【特許文献２】特開２００１−１４４６７８号公報
【発明の開示】
【発明が解決しようとする課題】
【０００４】
しかしながら、上記のような無線通信システムでは、固定局装置と移動局装置のそれぞれに対して別個に親局装置から一斉指令が発令されていたため、一斉指令に係る処理の効率が低かった。
また、上記のような無線通信システムでは、いずれの移動局装置が開局している或いは閉局しているに関わらず、固定のスロットで移動局装置からの応答信号が返送されるため、一斉指令に係る処理の効率が低かった。
本発明は、このような従来の事情に鑑み為されたもので、親局装置から固定局装置及び移動局装置への一斉指令に係る処理を効率化することができる無線通信システムを提供することを目的とする。
【課題を解決するための手段】
【０００５】
上記目的を達成するため、本発明に係る無線通信システムでは、親局装置が固定局装置及び移動局装置と無線により通信する構成において、次のようにして、一斉指令に係る処理を行う。
すなわち、親局装置では、一斉指令対象移動局装置情報管理手段が、一斉指令の対象となる移動局装置に関する情報を管理し、そして、一斉指令応答タイミング情報信号無線送信手段が、一斉指令対象移動局装置情報管理手段による管理内容に基づいて、一斉指令の対象となる固定局装置及び一斉指令の対象となる移動局装置に対して、応答信号を返送するタイミングに関する情報を含む一斉指令応答タイミング情報信号を無線により送信する。
また、固定局装置では、固定局装置一斉指令応答タイミング情報信号無線受信手段が、親局装置から無線により送信される一斉指令応答タイミング情報信号を受信し、そして、固定局装置応答信号無線送信手段が、受信される一斉指令応答タイミング情報信号に基づくタイミングで、親局装置に対して応答信号を無線により送信する。
また、移動局装置では、移動局装置一斉指令応答タイミング情報信号無線受信手段が、親局装置から無線により送信される一斉指令応答タイミング情報信号を受信し、そして、移動局装置応答信号無線送信手段が、受信される一斉指令応答タイミング情報信号に基づくタイミングで、親局装置に対して応答信号を無線により送信する。
【０００６】
従って、親局装置から固定局装置及び移動局装置への一斉指令に係る処理を効率化することができる。具体的には、例えば、親局装置から共通の一斉指令応答タイミング情報信号により、一斉指令の対象となる固定局装置と一斉指令の対象となる移動局装置に対して、一斉指令に関する指示を通知することにより、一斉指令の効率化が可能である。また、例えば、一斉指令の対象となる移動局装置に関する情報の管理内容に基づいて固定局装置や移動局装置から応答信号を返送するタイミングを決定することにより、固定局装置や移動局装置からの応答に要する時間を全体として短くすることが可能である。
ここで、一斉指令の対象となる移動局装置に関する情報としては、種々な情報が用いられてもよい。
また、一斉指令対象移動局装置情報管理手段としては、例えば、メモリを用いて構成される。
また、固定局装置や移動局装置から応答信号を返送するタイミングとしては、種々なタイミングが用いられてもよく、例えば、最も効率化されるようなタイミングが好ましいが、他のタイミングが用いられてもよい。
また、固定局装置や移動局装置から応答信号を返送するタイミングに関する情報としては、種々な情報が用いられてもよい。
また、一斉指令応答タイミング情報信号や、応答信号としては、それぞれ、種々な信号が用いられてもよい。
【０００７】
以下で、更に、本発明に係る構成例を示す。
固定局装置の数は、例えば、１又は複数である。
移動局装置の数は、例えば、１又は複数である。移動局装置の数が複数である場合には、これら複数の移動局装置の全部又は一部が一斉指令の対象となる。一斉指令の対象は、例えば、各移動局装置の電源のオンオフの状態などにより、変動する。一構成例として、開局している移動局装置は一斉指令の対象となり、開局していない（つまり、閉局している）移動局装置は一斉指令の対象とならない。
一斉指令応答タイミング情報信号は、例えば、一斉指令の対象となる全ての固定局装置及び一斉指令の対象となる全ての移動局装置について、共通な信号である。
一構成例として、一斉指令応答タイミング情報信号は、固定局装置や移動局装置により一斉指令のモードを起動させる一斉指令起動信号として構成される。
【０００８】
親局装置は、例えば、固定局装置及び移動局装置を収容して子局装置として管理する。
一構成例として、親局装置は、一斉指令の対象となる固定局装置に関する情報を管理する一斉指令対象固定局装置情報管理手段を備える。一例として、親局装置は、自己（当該親局装置）により収容している全ての固定局装置を一斉指令の対象とする。
一構成例として、親局装置の一斉指令対象移動局装置情報管理手段は、開局している移動局装置に関する情報を一斉指令の対象となる移動局装置に関する情報として管理する。
一構成例として、親局装置の一斉指令対象移動局装置情報管理手段は、一斉指令の対象となる移動局装置を特定することが可能な情報を管理する。親局装置は、例えば、移動局装置を識別することが可能な情報を用いて、移動局装置を管理し、一例として、子局装置である移動局装置に割り当てられた番号（子局番号）の情報を用いる。
【０００９】
一構成例として、親局装置は、固定局装置及び移動局装置から無線により送信される応答信号の送信周期（返送周期）を管理する応答信号返送周期管理手段を備える。応答信号の返送周期は、例えば、一斉指令の対象となる固定局装置の数及び一斉指令の対象となる移動局装置の数に基づいて決定される。一構成例として、一斉指令応答タイミング情報信号は、応答信号を返送するタイミングに関する情報として、応答信号の返送周期の情報を含む。
一構成例として、親局装置と固定局装置及び移動局装置とはスロットにより無線通信する。一構成例として、一斉指令応答タイミング情報信号は、応答信号を返送するタイミングに関する情報として、応答信号を返送するために使用するスロットを特定することが可能な情報を含む。スロットを特定する情報としては、例えば、スロットの番号（スロット番号）の情報が用いられる。
【００１０】
一構成例として、固定局装置の固定局装置応答信号無線送信手段は、受信される一斉指令応答タイミング情報信号に含まれる応答信号の返送周期の情報に基づくタイミングで、親局装置に対して応答信号を無線により送信する。
一構成例として、移動局装置の移動局装置応答信号無線送信手段は、受信される一斉指令応答タイミング情報信号に含まれるスロットの情報及び応答信号の返送周期の情報に基づくタイミングで、親局装置に対して応答信号を無線により送信する。
一構成例として、固定局装置が親局装置に対して応答信号を無線送信した後に移動局装置が親局装置に対して応答信号を無線送信する順序で、応答が行われる。
【００１１】
一構成例として、固定局装置及び移動局装置は、周期的に繰り返して、親局装置に対して信号の送信を行う。
一例として、親局装置が一斉指令応答タイミング情報信号である一斉指令起動信号を無線により送信し、当該一斉指令起動信号により一斉指令の対象となる固定局装置及び一斉指令の対象となる移動局装置において一斉指令のモードが起動された後に、親局装置は一斉指令の対象となる固定局装置及び一斉指令の対象となる移動局装置に対して一斉指令の内容の情報を含む一斉指令情報信号を無線により送信する。当該一斉指令情報信号を受信した固定局装置及び移動局装置は、一斉指令起動信号により確立された無線通信タイミング（応答のタイミング）で親局装置に対して応答の情報を含む応答情報信号を無線により送信する。親局装置は、固定局装置及び移動局装置から受信される応答情報信号に含まれる情報を収集などする。
なお、一斉指令の情報や、応答の情報としては、種々なものが用いられてもよく、例えば、通信の状態や、ユーザの状態や、装置の状態や、環境の状態や、ユーザにより入力或いは指示される任意の内容や、予め設定された任意の内容などに関する様々な情報を用いることが可能である。
【発明の効果】
【００１２】
以上説明したように、本発明に係る無線通信システムによると、親局装置では、一斉指令の対象となる移動局装置に関する情報を管理して、当該管理内容に基づいて、一斉指令の対象となる固定局装置及び一斉指令の対象となる移動局装置に対して、応答信号を返送するタイミングに関する情報を含む一斉指令応答タイミング情報信号を無線により送信し、固定局装置及び移動局装置では、親局装置から無線により送信される一斉指令応答タイミング情報信号を受信して、当該受信した一斉指令応答タイミング情報信号に基づくタイミングで親局装置に対して応答信号を無線により送信（返送）するようにしたため、親局装置から固定局装置及び移動局装置への一斉指令に係る処理を効率化することができる。
【発明を実施するための最良の形態】
【００１３】
本発明に係る一実施例を図面を参照して説明する。
図１には、本発明の一実施例に係る無線通信システムの構成例として、親局装置Ａと、１６個の固定局装置Ｂ１〜Ｂ１６と、１００個の移動局装置Ｃ１〜Ｃ１００を示してある。親局装置Ａは、一斉指令台１と、親局制御装置２及び移動局開局管理部３及び応答周期管理部４と、親局無線機５と、空中線（アンテナ）６から構成されている。なお、複数の固定局装置の数や、複数の移動局装置の数は、一例であり、他の種々な数が用いられてもよい。
図２には、本例の無線通信システム系統により行われる一斉指令に係る処理のシーケンスの一例を示してある。
図２を参照して、親局装置Ａと固定局装置Ｂ１〜Ｂ１６及び移動局装置Ｃ１〜Ｃ１００との間で行われる無線通信の一例を示す。
まず、（任意の）移動局装置Ｃ１〜Ｃ１００が電源投入により開局すると、親局装置Ａの親局制御装置２は、当該親局装置Ａの系統において開局した移動局装置Ｃ１〜Ｃ１００の子局番号を移動局開局管理部３により管理する。ここで、子局番号としては、例えば、それぞれの移動局装置Ｃ１〜Ｃ１００を識別することが可能な番号が用いられる。
本例では、４個の移動局装置Ｃ１、Ｃ２、Ｃ５０、Ｃ１００が開局していて移動局開局管理部３により管理されている場合を例として示す。
また、応答周期管理部４は、例えば固定局装置の数及び開局している移動局装置の数に基づいて決定される応答信号の周期（応答周期）を管理する。
【００１４】
親局装置Ａの一斉指令台１から固定局装置Ｂ１〜Ｂ１６及び開局している移動局装置Ｃ１、Ｃ２、Ｃ５０、Ｃ１００に対して同時に一斉指令を発令すると、親局制御装置２は、移動局開局管理部３及び応答周期管理部４と連携して、親局無線機５及び空中線６を介して、固定局装置Ｂ１〜Ｂ１６及び移動局装置Ｃ１、Ｃ２、Ｃ５０、Ｃ１００に対して一斉指令起動信号１１を無線により送信する。ここで、親局装置Ａでは、一斉指令起動信号に、固定局装置Ｂ１〜Ｂ１６の数と開局している移動局装置Ｃ１、Ｃ２、Ｃ５０、Ｃ１００の数を加えた結果である一斉指令の対象となる局の数に応じて、各移動局装置Ｃ１、Ｃ２、Ｃ５０、Ｃ１００に割り当てるスロット番号の情報と、応答周期の情報を付加する。
それぞれの固定局装置Ｂ１〜Ｂ１６は、一斉指令起動信号１１を受信すると、当該一斉指令起動信号内の情報から得られる応答周期に応じて、応答信号を親局装置Ａに対して無線により送信（返送）する。
また、開局しているそれぞれの移動局装置Ｃ１、Ｃ２、Ｃ５０、Ｃ１００は、一斉指令起動信号１１を受信すると、当該一斉指令起動信号内の情報から得られる自局のスロット番号と応答周期に応じて、応答信号を親局装置Ａに対して無線により送信（返送）する。
【００１５】
図２に示した例では、１６個の固定局装置Ｂ１〜Ｂ１６と４個の開局している移動局装置Ｃ１、Ｃ２、Ｃ５０、Ｃ１００が同一の一斉指令起動信号１１を受信した場合に、まず、１６個の固定局装置Ｂ１〜Ｂ１６が例えば予めそれぞれに割り当てられた順番で応答時間（応答タイミング）をずらすように応答信号を返送し、次に、４個の移動局装置Ｃ１、Ｃ２、Ｃ５０、Ｃ１００が割り当てられたスロット番号で応答時間（応答タイミング）をずらすように応答信号を返送し、その後、これらの固定局装置Ｂ１〜Ｂ１６及び移動局装置Ｃ１、Ｃ２、Ｃ５０、Ｃ１００は通知された応答周期で周期的に同様な応答処理を繰り返して行う。
一例として、図２に示したように、固定局装置Ｂ１〜Ｂ１６の数が１６局であり、移動局装置Ｃ１〜Ｃ１００の容量が１００局であり、一斉指令の対象となる移動局装置Ｃ１、Ｃ２、Ｃ５０、Ｃ１００の数が４局である場合には、１回の応答に約１秒要するとすると、親局装置Ａでは、固定局装置Ｂ１〜Ｂ１６からの応答に要する約１秒×１６局＝１６秒に加えて移動局装置Ｃ１、Ｃ２、Ｃ５０、Ｃ１００からの応答に要する約１秒×４局＝約４秒の合計約２０秒で、一斉指令の対象となる局からの応答信号を受信することができる。
【００１６】
親局制御装置２は、固定局装置Ｂ１〜Ｂ１６及び移動局装置Ｃ１、Ｃ２、Ｃ５０、Ｃ１００から空中線６及び親局無線機５を介して無線受信した応答信号に含まれる情報を一斉指令台１へ送信して例えば一斉指示台１のモニタなどに表示する。これにより、扱い者は、一斉指令の対象局からの応答の状況に基づいて、一斉指令の情報の送信を開始させる。親局制御装置２は、扱い者による一斉指令台１からの指示に基づいて、応答があった一斉指令の対象となる固定局装置Ｂ１〜Ｂ１６及び移動局装置Ｃ１、Ｃ２、Ｃ５０、Ｃ１００に対して一斉指令の情報を無線信号により送信する。このような情報の送信の後に、固定局装置Ｂ１〜Ｂ１６及び移動局装置Ｃ１、Ｃ２、Ｃ５０、Ｃ１００から確認情報を無線により送信するような際においても、上記した応答信号について述べたのと同様な方法で親局装置Ａに対して返送を行う。
【００１７】
以上のように、本例の無線通信システムでは、親局装置Ａと複数の固定局装置Ｂ１〜Ｂ１６及び複数の移動局装置Ｃ１〜Ｃ１００とが例えばマルチチャネルアクセス方式で接続された構成において、親局制御装置２に移動局開局管理部３及び応答周期管理部４を設け、固定局装置Ｂ１〜Ｂ１６の数と開局している移動局装置Ｃ１、Ｃ２、Ｃ５０、Ｃ１００の数に応じて応答返送周期及び各局の応答スロットを割り当てる一斉指令応答返送方式により、一斉指令に係る発令や応答を行う。例えば、固定局装置Ｂ１〜Ｂ１６に続いて、開局している移動局装置Ｃ１、Ｃ２、Ｃ５０、Ｃ１００にのみ応答スロットを割り当てて、固定局装置Ｂ１〜Ｂ１６と開局している移動局装置Ｃ１、Ｃ２、Ｃ５０、Ｃ１００の局数分の周期で繰り返して応答させる。これにより、親局装置Ａから固定局装置Ｂ１〜Ｂ１６及び移動局装置Ｃ１〜Ｃ１００に対する同時一斉指令時の応答時間を短縮することができる。
【００１８】
従って、本例の無線通信システムでは、固定局装置Ｂ１〜Ｂ１６と移動局装置Ｃ１〜Ｃ１００に対して１回の一斉指令で発令することができ、これとともに、移動局装置Ｃ１〜Ｃ１００からの応答収集に要する時間を短くすることができる。具体的には、例えば、１又は複数の固定局装置及び１又は複数の移動局装置に対して同時に一斉指令を発令した場合に、指定されたスロット番号及び開局している移動局装置の数分を考慮した周期により固定局装置や移動局装置から応答信号を返送することにより、例えば従来と比べて、親局装置Ａから一斉指令の情報を送信するまでの時間や、指令後に親局装置Ａにより確認情報を収集する時間を大幅に短縮することができる。
このように、本例の無線通信システムでは、固定局装置Ｂ１〜Ｂ１６と移動局装置Ｃ１〜Ｃ１００に対して同時に一斉指令が可能となり、固定局装置Ｂ１〜Ｂ１６と開局している移動局装置Ｃ１、Ｃ２、Ｃ５０、Ｃ１００のみについて応答スロット及び応答周期を割り当てることにより、開局していない移動局装置Ｃ３〜Ｃ４９、Ｃ５１〜Ｃ９９からの応答信号を待つことなく、応答時間を短縮することができる。このため、装置の操作性や使い勝手を向上させることができ、装置の運用性や運用効率を向上させることができる。
【００１９】
なお、本例の親局装置では、開局している移動局装置の識別情報を管理する移動局開局管理部３の機能により一斉指令対象移動局装置情報管理手段が構成されており、応答信号の返送の周期（応答周期）を管理する応答周期管理部４の機能により応答信号返送周期管理手段が構成されており、親局制御装置2が親局無線機５や空中線6により一斉指令起動信号を無線送信する機能により一斉指令応答タイミング情報信号無線送信手段が構成されている。ここで、本例では、応答信号を返送するタイミングに関する情報としてスロットの情報及び応答周期の情報を含む一斉指令起動信号により一斉指令応答タイミング情報信号が構成されている。
また、本例の固定局装置では、例えば空中線を用いて一斉指令起動信号を無線受信する機能により固定局装置一斉指令応答タイミング情報信号無線受信手段が構成されており、例えば一斉指令起動信号により通知された応答周期に基づく自局のタイミングで応答信号を空中線から無線送信する機能により固定局装置応答信号無線送信手段が構成されている。
また、本例の移動局装置では、例えば空中線を用いて一斉指令起動信号を無線受信する機能により移動局装置一斉指令応答タイミング情報信号無線受信手段が構成されており、例えば一斉指令起動信号により通知されたスロットや応答周期に基づく自局のタイミングで応答信号を空中線から無線送信する機能により移動局装置応答信号無線送信手段が構成されている。
【００２０】
以下で、本発明に関する技術の背景を示す。なお、ここで記載する事項は、必ずしも全てが従来の技術であるとは限定しない。
図３には、無線通信システム系統の一例を示してある。具体的には、一斉指令台２１と親局制御装置２２と親局無線機２３と空中線２４から構成される親局装置Ｆと、１６個の固定局装置Ｇ１〜Ｇ１６と、１００個の移動局装置Ｈ１〜Ｈ１００を示してある。親局装置Ｆと各固定局装置Ｇ１〜Ｇ１６とが無線通信を行い、親局装置Ｆと各移動局装置Ｈ１〜Ｈ１００とが無線通信を行う。なお、固定局装置の数や、移動局装置の数は、一例である。
図４や図５には、親局制御装置２２と複数の固定局装置Ｇ１〜Ｇ１６又は複数の移動局装置Ｈ１〜Ｈ１００とで構成される無線通信システムにおける応答信号の返送に関するシーケンスの一例を示してある。
概略的には、親局装置Ｆから一斉指令起動信号３１、４１を無線送信し、これを受信した固定局装置Ｇ１〜Ｇ１６又は移動局装置Ｈ１〜Ｈ１００が応答信号Ｉ１〜Ｉ１６、Ｉ１ａ、Ｊ１、Ｊ２、Ｊ５０、Ｊ１００、Ｊ１ａを無線送信する。従来では、親局装置Ｆは、固定局装置Ｇ１〜Ｇ１６と移動局装置Ｈ１〜Ｈ１００に対して同時に一斉指令を発令することは無く、別々に発令していた。
【００２１】
図４を参照して、固定局装置Ｇ１〜Ｇ１６に対する一斉指令を行う場合について詳しく説明する。
この場合，親局装置Ｆの一斉指令台２１の操作により、一斉指令起動信号３１が、親局制御装置２２から親局無線機２３及び空中線２４を介して、固定局装置Ｇ１〜Ｇ１６に向けて無線により送信される。そして、親局制御装置２２からの一斉指令起動信号３１が着信すると、各固定局装置Ｇ１〜Ｇ１６は、予め定められたスロット番号と周期により、繰り返して応答信号Ｉ１〜Ｉ１６、Ｉ１ａを無線により送信（返送）する。例えば、第１の固定局装置Ｇ１では、予め定められたスロット番号で応答信号Ｉ１を親局装置Ｆに対して無線送信し、次の周期で、応答信号Ｉ１ａを親局装置Ｆに対して無線送信している。ここで、固定局装置の１系統内の局容量は、通常、１局〜１６局程度で構成されているため、応答信号の周期（応答周期）は、１回の応答に約１秒要するとすると、最大でも約１秒×１６局で１６秒である。
【００２２】
図５を参照して、移動局装置Ｈ１〜Ｈ１００に対する一斉指令を行う場合について詳しく説明する。
この場合、親局装置Ｆの一斉指令台２１の操作により、一斉指令起動信号４１が、親局制御装置２２から親局無線機２３及び空中線２４を介して、移動局装置Ｈ１〜Ｈ１００に向けて無線により送信される。そして、親局制御装置２２からの一斉指令起動信号４１が着信すると、開局している移動局装置Ｈ１、Ｈ２、Ｈ５０、Ｈ１００は、予め定められたスロット番号と周期により、繰り返して応答信号Ｊ１、Ｊ２、Ｊ５０、Ｊ１００、Ｊ１ａを無線により送信（返送）する。例えば、第１の移動局装置Ｈ１では、予め定められたスロット番号で応答信号Ｊ１を親局装置Ｆに対して無線送信し、次の周期で、応答信号Ｊ１ａを親局装置Ｆに対して無線送信している。ここで、移動局装置の容量が１００局である場合を例とすると、一斉指令の対象となる移動局装置が最大未満の３局や４局であっても或いは最大の１００局であっても、移動局装置からの応答信号の周期（応答周期）は変わらずに一定であり、１回の応答に約１秒要するとすると、約１秒×１００局で約１００秒となってしまう。
【００２３】
親局装置Ｆの一斉指令台２１では、親局制御装置２２経由で固定局装置Ｇ１〜Ｇ１６からの応答信号Ｉ１〜Ｉ１６、Ｉ１ａ及び移動局装置Ｈ１〜Ｈ１００からの応答信号Ｊ１、Ｊ２、Ｊ５０、Ｊ１００、Ｊ１ａの状況を確認し、一斉指令の情報を送信することとなる。また、当該情報の送信後の受信確認においても、固定局装置Ｇ１〜Ｇ１６及び移動局装置Ｈ１〜Ｈ１００は、予め定められたスロット番号と周期により、繰り返して返送を行う。
【００２４】
しかしながら、上記のような無線通信システムでは、親局装置Ｆが固定局装置Ｇ１〜Ｇ１６と移動局装置Ｈ１〜Ｈ１００に対して別々の一斉指令を発令するため、２回同じ（或いは、同様な）一斉指令を発令しなければならなかった。
また、上記のような無線通信システムでは、いずれの移動局装置が開局している或いは開局していない（つまり、閉局している）に関わらず、固定のスロットで応答信号を返送するため、効率が低かった。一例として、移動局装置の容量が１００局である場合には、１回の応答に約１秒要するとすると、各移動局装置から１回の応答信号を受信するために、最大で、約１秒×１００局で約１００秒を要していた。
【００２５】
ここで、本発明に係る無線通信システムや親局装置や固定局装置や移動局装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る無線通信システムや親局装置や固定局装置や移動局装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２６】
【図１】本発明の一実施例に係る無線通信システムの構成例を示す図である。
【図２】無線通信システムにおける応答信号の返送処理の流れの一例を示す図である。
【図３】無線通信システムの構成例を示す図である。
【図４】無線通信システムにおける固定局装置からの応答信号の返送処理の流れの一例を示す図である。
【図５】無線通信システムにおける移動局装置からの応答信号の返送処理の流れの一例を示す図である。
【符号の説明】
【００２７】
１、２１・・一斉指令台、  ２、２２・・親局制御装置、  ３・・移動局開局管理部、  ４・・応答周期管理部、  ５、２３・・親局無線機、  ６・・空中線、  Ａ・・親局装置、  Ｂ１〜Ｂ１６、Ｇ１〜Ｇ１６・・固定局装置、  Ｃ１〜Ｃ１００、Ｈ１〜Ｈ１００・・移動局装置、
【図１】
2005151266.tif 000003
【図２】
2005151266.tif 000004
【図３】
2005151266.tif 000005
【図４】
2005151266.tif 000006
【図５】
2005151266.tif 000007